(57)【要約】      （修正有）【課題】クッション性、弾性および安定性を保証するソールを提供する。【解決手段】スポーツシューズ用のソールは、ベースまたはトレッド構成要素３と、トップまたはミッドソール構成要素４と、弾性緩衝構成要素とを含み、ソールの後方部分が、異なる構成を有し、それによって使用時に、異なるクッション性、弾性および安定性などの圧力または圧潰に反応する挙動が達成される。【選択図】図１
2019193787.tif 000002
【特許請求の範囲】
【請求項１】
ベースまたはトレッド構成要素（３）と、
トップまたはミッドソール構成要素（４）と、
前記ベース構成要素（３）と前記トップ構成要素（４）との間に配置および包囲される、または前記トップまたはミッドソール構成要素（４）の上方に、すなわち前記トップまたはミッドソール構成要素（４）に関して前記ベースまたはトレッド構成要素（３）と対向して配置される少なくとも１つの中間または弾性緩衝構成要素（５）と
を含むスポーツシューズ用のソールであって、
前記少なくとも１つの中間または弾性緩衝構成要素（５）が一体の部品であり、前記ソールのヒールまたは後部（Ｒ）の高さに配置された後方部分（６）と、前記ソールのウエスト縁部または中間部分の領域を係合するため、前記後方部分（６）から前部（Ｆ）に向かって延伸する前方部分（８）とを含み、
前記中間または弾性緩衝構成要素（５）の前記後方部分（６）が、前記ソールのそれぞれの側部（１１、１２）で延伸する２つの側方管状部分（９、１０）と、前記２つの側方管状部分（９、１０）のブリッジ接続中央部分（１３）とを含み、前記接続中央部分（１３）が、前記２つの側方管状部分（９、１０）とは異なる構成を有し、それによって使用時に、前記後方部分（６）の前記部分（９、１０、１３）で異なるクッション性、弾性および安定性などの圧力または圧潰に反応する挙動を得る、ソール。
【請求項２】
前記中間構成要素もしくは弾性緩衝構成要素（５）または前記後方部分（６）が板ばねを備え、前記中央部分（１３）が前記板ばねの主要な弾性要素を構成し、前記側方管状部分（９、１０）が前記板ばねの弾性的に圧潰可能な端部に相当する、請求項１に記載のソール。
【請求項３】
前記中央接続部分が、板状または管状であるが、前記ソールの後部（Ｒ）から前部（Ｆ）の方向に直交する平面に沿った断面が、前記側方管状部分（９、１０）の断面とは異なる、請求項１または２に記載のソール。
【請求項４】
前記接続中央板状部分（１３）が、前記ベース構成要素（３）に面した凹部によって実質的に湾曲している、請求項３に記載のソール。
【請求項５】
前記管状部分が、前記ソールの後部（Ｒ）から前部（Ｆ）への方向に対して横方向または直交する長手方延伸軸線（ｘ−ｘ）の周りに延伸する長手方向開口部（ＬＯ）を画定し、各長手方向開口部（ＬＯ）は、前記ソールのそれぞれの側部（１１、１２）で外側に開口している、請求項１、２、３または４に記載のソール。
【請求項６】
各長手方向開口部（ＬＯ）が、それぞれの管状部分（９、１０）の内側端部に、または前記中央接続部分（１３）とそれぞれの管状部分（９、１０）の内側端部との間で前記中央接続部分（１３）内に画定されたそれぞれの排出溝または逃げ溝（ＥＮ１、ＥＮ２）に内部で開口し、前記排出溝または逃げ溝（ＥＮ１、ＥＮ２）が、前記トップ構成要素（４）または前記ベース構成要素（３）に向かって開口している、請求項５に記載のソール。
【請求項７】
前記管状部分（９、１０）が、１つの第１湾曲部分、または、前記トップ構成要素（４）に向けられた凹部またはくぼみ領域を画定するように、相互（９ａ、１０ａ）に対して傾斜した２つ以上の第１区分を有し、前記第１区分（９ａ、１０ａ）が、前記ベース構成要素（３）に近接しており、前記管状部分が、前記ベース構成要素（３）に向けられた凹部またはくぼみ領域を画定するように、相互（９ｂ、１０ｂ）に対して傾斜した１つの第２湾曲部分または複数の第２区分を有し、前記第２区分（９ｂ、１０ｂ）が、前記トップ構成要素（４）に近接している、先行する請求項のいずれか１項に記載のソール。
【請求項８】
前記中央接続部分（１３）が、前記管状部分（９、１０）の前記第２区分（９ｂ、１０ｂ）または前記第１区分（９ａ、１０ａ）と実質的に位置合わせされている、または同じ高さにあり、その前記第１区分（９ａ、１０ａ）と前記第２区分（９ｂ、１０ｂ）のうちの他方が、異なる高さで、それぞれ前記中央接続部分（１３）より前記ベース構成要素（３）に近い、またはより遠くに延伸する、請求項７に記載のソール。
【請求項９】
前記管状部分（９、１０）が、実質的に円錐形の形状を有する、またはいずれの場合にも必要に応じて円形、楕円形もしくは多角形の断面を有し、前記中央接続部分（１３）に接近すると縮小し、これにより１つまたはそれぞれの長手方向開口部（ＬＯ）が、前記ソールの前記長手方向中心または中心線に接近すると先細になる、請求項５に従属する場合の先行する請求項のいずれか１項に記載のソール。
【請求項１０】
使用時に、前記側方管状部分（９、１０）の一方または両方の外側端部（９ｃ、１０ｃ）から延伸し、前記トップ構成要素（４）の対応する部分を包囲する少なくとも１つのタブ（１６、１７）を備え、前記少なくとも１つのタブ（１６、１７）が、上方に向かって、または前記ベース構成要素（３）から離れる方向へ、前記ソールの前記前部（Ｆ）または前記後部（Ｒ）に向かって延伸する、先行する請求項のいずれか１項に記載のソール。
【請求項１１】
使用時に、前記ソールの側部（１１）で側方管状部分（９）の外側端部（９ｃ）から延伸する第１タブ（１６）と、使用時に、前記ソール（１）の内側（１２）で前記側方管状部分（１０）の外側端部（１０ｃ）から延伸する第２タブ（１７）とを備え、前記第１タブ（１６）が、前記ベース構成要素（３）から離れ前記ソールの前記後部（Ｒ）に向かって延伸し、前記第２タブ（１７）が、前記ベース構成要素（３）から離れ前記ソールの前記前部（Ｆ）に向かって延伸する、請求項１０に記載のソール。
【請求項１２】
前記中間または緩衝構成要素（５）の前記前方部分（８）が実質的に板状であり、１つまたは複数のリブ（８ａ）または溝（８ｂ）、またはいずれの場合にも前記ベース構成要素（３）または前記トップ構成要素（４）のそれぞれの開口部または突出部（３ａ、４ａ）に大きさを合わせてまたは緩く係合するよう設計された突起を有する、先行する請求項のいずれか１項に記載のソール。
【請求項１３】
前記中間または弾性緩衝構成要素（５）の前記後方部分（６）と前記ベース構成要素（３）との間に配置され包囲されたヒールインサート（１８）を備え、前記ヒールインサート（１８）が、前記中間または弾性緩衝構成要素（５）を下から、またはいずれの場合にも前記中間または弾性緩衝構成要素（５）と前記ベース構成要素（３）との間の領域から支持するように設計されている、先行する請求項のいずれか１項に記載のソール。
【請求項１４】
下方にあるかまたは前記ベース構成要素（３）に面している前記中間または弾性緩衝構成要素（５）の表面（５ａ）と接触している、所望であれば実質的に結合している、前記ベース構成要素（３）から遠位の第１表面（１８ａ）を前記ヒールインサート（１８）が画定する、請求項１３に記載のソール。
【請求項１５】
前記トップ構成要素（４）が、くぼみ状の型（Ｍ）を画定し、前記中間または弾性緩衝構成要素（５）が、実質的に大きさが合わされてまたは緩みを持って収容されている、先行する請求項のいずれか１項に記載のソール。
【請求項１６】
先行する請求項のいずれか１項に記載のソールと、前記ソールの前記トップ構成要素（４）に拘束されたアッパ（２１）とを備える靴。
【発明の詳細な説明】
【技術分野】
【０００１】
本発明は、スポーツシューズ用のソール、ならびにそのようなソールを備えるスポーツシューズに関する。
【背景技術】
【０００２】
ミッドソールと、トレッドパターンを有するアウタソールと通常を含むスポーツシューズが多く提案されている。
【０００３】
欧州特許出願公開第２２７９６７８Ａ１号明細書は、例えば、２つの部分のゴムまたは熱可塑性トレッドパターンによって形成されたソール、ヒールインサートと、第１ミッドソール要素と、第２ミッドソール要素とを有する靴を教示しており、この第１ミッドソール要素は、第２ミッドソール要素とヒールインサートとの間に締め付けされており、プラスチック材料の単一部品として形成されている。
【０００４】
第１ミッドソール要素は、ソールの内側から側部への貫通開口部を形成する実質的に楕円形の部分を有する二重板ばね弾性構造を有する。
【０００５】
前述の欧州特許出願に記載されているソールの構造は、特に第１ミッドソール要素における力の正しい分配を保証するものではない。
【０００６】
さらに、このような要素では、クッション性、弾性および安定性が適切に差別化されることが可能でない。
【発明の概要】
【発明が解決しようとする課題】
【０００７】
本発明の目的は、スポーツシューズ用の改良されたソールを提供することである。
本発明の他の目的は、従来のソールに関して改善されたクッション性、弾性および安定性を保証する上記のようなソールを提供することである。
【０００８】
本発明の他の目的は、ソールの機械的または構造的特徴によって高いクッション性、弾性および安定性を保証することができるソールを提供することである。
【０００９】
本発明の他の目的は、経時的にその機械的特性を失うことのないソールを提供することである。
【００１０】
本発明の他の目的は、内側から外側へクッション性、弾性および安定性が変化することを保証できるソールを提供することである。
【課題を解決するための手段】
【００１１】
本発明の一態様として、請求項１に記載のソールが提供される。
従属請求項は、本発明の好適および有利な実施形態を示す。
【００１２】
本発明の他の特徴および長所は、添付の図面に例示されるソールの実施形態の説明からより明らかになるであろう。
【図面の簡単な説明】
【００１３】
【図１】本発明によるソールのわずかに上および側方から見た斜視図である。
【図２】本発明によるソールのわずかに上および側方から見た斜視図である。
【図３】図１のソールの分解斜視図である。
【図４】図１のソールの分解斜視図である。
【図５】図１のソールの中間構成要素の斜視図である。
【図６】図１のソールの中間構成要素の斜視図である。
【図７】図５の中間構成要素の上下からの平面図である。
【図８】図５の中間構成要素の上下からの平面図である。
【図９】図５の中間構成要素の側面からの図である。
【図１０】図５の中間構成要素の側面からの図である。
【図１１】図５の中間構成要素の前後からの図である。
【図１２】図５の中間構成要素の前後からの図である。
【図１３】図８の線ＸＩＩＩ‐ＸＩＩＩに沿う断面図である。
【図１４】本発明による靴の側面図である。
【発明を実施するための形態】
【００１４】
添付の図面において、同一の部分または構成要素は、同一の参照番号によって区別される。
【００１５】
図１〜図１４を参照すると、ランニングシューズ、フットボールシューズ、またはテニスシューズなどのスポーツシューズ２用のソール１は、ベース構成要素または必要に応じてトレッド構成要素３、トップ構成要素またはミッドソール４、ベース構成要素３とトップ構成要素４との間に配置され包囲された少なくとも１つの中間構成要素または弾性緩衝構成要素５を備える。それほど好ましくない変形例によれば、弾性緩衝構成要素５は、トップ構成要素またはミッドソール４の上または上方に、すなわち、トップ構成要素またはミッドソール構成要素４に対してベースまたはトレッド構成要素３とは反対に、または使用時には、トップ構成要素４の内面４ｃの上方に配置され得る。
【００１６】
より具体的には、中間または弾性緩衝構成要素５は、単一の部品であり、ソール１のヒールまたは後部Ｒレベルに配置された後方部分６と、後方部分６から始まって先端または前部Ｆに向かって延伸する前方部分８とを含み、これによりソールのウエスト縁部または中間部分の領域と係合する。
【００１７】
中間構成要素５は、例えば、ＰＥＢＡＸ（登録商標）またはポリアミド、熱可塑性ポリウレタンなどの熱可塑性材料からなる群から選択される材料で製造されることができる。
【００１８】
さらに、このような構成要素は、構成要素５全体を成形することによって単一の部品にする、または様々な部分を実現し、所望であれば接着によって、それらを互いに動かないように固定することもできる。
【００１９】
中間構成要素５の後方部分６は、ソール１のそれぞれの側部１１、１２にそれぞれ延伸する２つの側方管状部分９、１０と、２つの側方部分９、１０を橋渡しする好ましくは板状の中央部分１３とを含み、中央接続部分１３は、２つの側方管状部分９、１０とは異なる構成を有し、それによって、特に靴２に挿入される使用者の足によって加えられる圧力または衝撃に反応する挙動、例えば使用中のクッション性、弾性および安定性が、ソール１の一方の側部１１から他方の側部１２までの後方部分６の部分において異なるようにできる。
【００２０】
前述のように、中央部分１３は好ましくは板状であるが、それはまた管状である場合もあり、例えば横断面、すなわち後部Ｒから前部Ｆ方向に直交する平面に沿って取られた横断面が、側方管状部分９、１０のうちの１つとは異なり、とりわけより低いかまたはより押しつぶされている。
【００２１】
したがって、側方管状部分９、１０は、中央部分１３に関して互いに反対側にあり、それぞれ中央部分１３の各端部から延伸する。必要に応じて、中央部分に対して互いに対向する側方管状部分の対がさらに多く設けられる。
【００２２】
側方管状部分９、１０はそれぞれ、後方部分６の幅の約１／４から１／３、例えば１／３の幅に、そしてソールの一方の側部１１から他方の側部１２への方向に延伸している。
【００２３】
有利には、中央板状接続部分１３は、ベース構成要素３の方を向けられた凹面で実質的に湾曲しており、さらにより有利には、底部、より具体的にはベース構成要素３の方へ開いており、すなわち、中間構成要素５は、中央板状接続部分１３の下部閉鎖部は有していない。さらに、１つ、２つ、３つまたはそれ以上の第１貫通開口部ＦＴＯを中央部分１３に形成することができ、その主延伸部は、ソール１の後部Ｒから前部Ｆの方向と実質的に位置合わせされている。第１貫通開口部ＦＴＯが設けられている場合は、これは必要に応じて、円形または長方形のような異なる幾何学的形状を有することができる。
【００２４】
必要に応じて、管状部分９、１０のそれぞれは、例えば、ソールの後部Ｒから前部Ｆ方向に対して横方向または直交する長手方向延伸軸線ｘ‐ｘ（特に図１３を参照）の周りに延伸する長手方向開口部ＬＯを画定する。２つの長手方向貫通開口部ＬＯの長手方向延伸軸線ｘ‐ｘは、同じであっても異なっていてもよく、例えば、長手方向開口部ＬＯの長手方向延伸軸線は、互いに対して傾斜していてもよい。
【００２５】
長手方向延伸軸線ｘ‐ｘは、必ずしも管状部分９、１０の長手方向対称軸線ではない。
長手方向開口部ＬＯが設けられている場合は、各長手方向開口部ＬＯは、ソール１のそれぞれの側部１１、１２で外側に開くことができ、必要に応じて、それぞれの管状部分９、１０の内側端部、または中央接続部分１３と対応する管状部分９、１０の内側端部との間で中央接続部分１３に画定または範囲が定められるそれぞれの排出溝または逃し溝ＥＮ１、ＥＮ２で内側に開くことができる。１つまたはそれぞれの排出溝または逃げ溝ＥＮ１、ＥＮ２もまた好ましくは、トップ構成要素４に向かって、またはベース構成要素３に向かって（図に示される実施形態の例によればトップ構成要素４に向かって）開いている。
【００２６】
１つまたは複数の排出溝または逃げ溝ＥＮ１、ＥＮ２が設けられている場合、これは管状部分９、１０および中央部分１３の両方に、より大きい弾性または弾性変形の自由度を付与する。
【００２７】
管状部分９、１０は、トップ構成要素４に面する凹部またはくぼみ領域を画定するように、相互９ａ、１０ａに対して傾斜した第１湾曲区分または２つ以上の第１区分を有することができ、第１区分９ａ、１０ａはベース構成要素３に近接しており、管状部分は、ベース構成要素３に面する凹部またはくぼみ領域を画定するように、相互９ｂ、１０ｂに対して傾斜した第２湾曲区分または２つ以上の第２区分を有することができ、第２区分９ｂ、１０ｂはトップ構成要素４に近接している。
【００２８】
区分９ａ、９ｂ、１０ａ、１０ｂはそれぞれ、中央部分１３のそれぞれの端部から延伸する。
【００２９】
有利には、中央接続部分１３は、管状部分９、１０の第２区分９ｂ、１０ｂまたは第１区分９ａ、１０ａと実質的に位置合わせされているか、または同じ高さであり、その第１区分９ａ、１０ａと第２区分９ｂ、１０ｂのうちの他方は、異なる高さで、中央接続部分１３よりベース構成要素３に近いか、またはより遠く延伸する。
【００３０】
さらにより有利には、中央接続部分１３は第２区分９ｂ、１０ｂと実質的に位置合わせされているかまたは同じ高さにあり、第１区分９ａ、１０ａは、中央部分１３から出発してそれぞれの側部１１、１２に向かって、そしてベース構成要素３に向かって延伸する。
【００３１】
好ましくは、管状部分９、１０は、実質的に円錐形の形状を有するか、またはいずれの場合にも、円形または楕円形、もしくは多角形の断面を有し、所望であれば、中央接続部分１３またはこれとのそれぞれの結合または接続端に向かって断面が縮小し、その際、１つまたは各長手方向開口部ＬＯの幅は、ソール１の長手方向中心または中心線に近づくにつれて先細りになり、これにより中央接続部分１３で、したがって第２区分９ｂ、１０ｂの内側端部に近接しているかまたは接触している第１区分９ａ、１０ａの内側端部で、実質的にゼロに等しくなる。明らかに、第１区分９ａ、１０ａおよび第２区分９ｂ、１０ｂの内側端部は、中央部分１３の端部に対応する。
【００３２】
この場合、１つまたはそれぞれの排出溝または逃げ溝ＥＮ１、ＥＮ２は、第１区分９ａ、１０ａまたは第２区分９ｂ、１０ｂ、特にそれらのうちの一方の内側端部、すなわち中央部分１３との接続または結合端で画定または範囲が定められる。
【００３３】
中間構成要素５の１つまたは複数の要素、特に側方管状部分９、１０および／または中央板状部分１３の壁部の厚さは、一定、例えば１〜１０ｍｍであることが好ましいが、一方から他方へ、および／または後部Ｒから前部Ｆへ、例えば１から１０ｍｍの間で可変でもあり得る。
【００３４】
ソール１は、長手方向開口部ＬＯの一方または両方へ延伸する歯またはリブを有することができ、これは好ましくは長手方向開口部ＬＯを画定する壁部分から他の壁部分まで延伸し、したがって片持ち歯またはリブではない。
【００３５】
さらに、長手方向開口部ＬＯには、適切に柔らかい材料で充填部材を挿入することができる。
【００３６】
中間構成要素５、より具体的にはそれぞれの後方部分６は、実際には板ばねを備え、中央部分１３が板ばねの主要な弾性要素を構成し、側方管状部分９、１０は板ばねの弾性圧潰可能な端部となる。
【００３７】
これに関して、中央部分１３は、例えば中央部分１３がベース構成要素３の方を向いている凹部を画定する第１休止位置と、少なくとも１つの作業位置または圧潰位置との間で可動であり、中央部分１３はベース構成要素３の方を向いている凸部または第１位置より低い実体の凹部を画定する。この動きは明らかに、靴２に挿入された使用者の足によってソールに加えられる圧力または圧潰によって制御される。
【００３８】
使用者がソール１に圧力を加えると、代わりに側方管状部分９、１０が圧潰し、それ故に長手方向開口部ＬＯの幅が減少する。
【００３９】
このような運動または圧潰に続いて、中央部分１３と側方管状部分９、１０との両方に弾性的に負荷がかけられ、例えば使用者が自分の足、そしてソール１を有する靴を上げたため、圧力が減少すると、部分９、１０および１３は、使用者の足に相対的な力を加えて、動いていないまたは圧潰されていない休止位置または初期位置に戻る傾向がある。そのような態様に関しては、よく理解されるように、部分９、１０および１３によって加えられる力は、それらに最初に加えられた圧力に応じた反力であり、さらに、各部分によって加えられる力は、後方部分６の構成によって、他から加えられる力とは無関係である。
【００４０】
必要に応じて、中間構成要素５はまた、使用中に、側方管状部分９、１０の一方または両方の外側端部９ｃ、１０ｃから延伸し、トップ構成要素４のそれぞれの部分を包囲する少なくとも１つのタブ１６、１７を備える。前記タブ１６、１７は、ベース構成要素３からソール１の前部Ｆまたは後部Ｒに向かって、上方または外側方向に延伸することができる。
【００４１】
有利には、使用中に、ソールの側部１１の側方管状部分９の外側端部９ｃから延伸する第１タブ１６と、使用中に、ソール１の内側１２の側方管状部分１０の外側端部１０ｃから延伸する第２タブ１７とが設けられる。より具体的には、第１タブ１６は上方へ向かって、またはベース構成要素３から離れるように、かつソール１の後部Ｒに向かって延伸し、第２タブ１７は上方へ向かって、またはベース構成要素３から離れるように、かつソール１の前部Ｆに向かって延伸する。
【００４２】
１つまたは各タブ１６、１７は、対応する第２区分９ｂ、１０ｂから延伸し、これと等しい延伸を有することができる。
【００４３】
所望であれば、第１タブ１６は、対応する第２区分９ｂから離れるにつれて徐々に減少する幅を有することができ、第２区分９ｂとの接続部分１６ａに対して、端部１６ｂは約２／３から３／４の間にあることができる。
【００４４】
第２タブ１７は、対応する第２区分１０ｂにおいて広いベースまたは結合部分１７ａを有することができ、したがって、ステム部分１７ｂの幅が大幅に狭い、例えばベース部分１６ａに対して１／４から１／２の間であることができる。
【００４５】
「側」部１１とは、使用中に、ソールの外側、またはいずれの場合にも使用中に側方で、対のソールの他方のソールとは反対側を向く側を指す。一方、「内」側１２は、使用中にソールの内側にある側、またはいずれの場合にも使用中に対のソールの他方のソール側を向いている側部を指す。
【００４６】
他方で、中間構成要素５の前方部分８は実質的に板状であってもよく、任意選択で１つまたは複数のリブ８ａまたは溝８ｂ、またはいずれの場合にも、ベース構成要素３またはトップ構成要素４の開口部または突出部３ａ、４ａに大きさが合わせられるか、緩く嵌合するように設計される突起を有することができる。
【００４７】
さらに、前方部分８は、適切な形状の、例えば、必要に応じてソールの前部に面する凹部または凸部またはくぼみ領域８ｄを画定するように湾曲しているＣ字形の、先端または端部８ｃを有することができる。
【００４８】
前方部分８は例えば、実質的に平らであり得る。
必要に応じて、前方部分８は、後方部分６から離れるにつれて、またはその長さの一部について幅が減少することができ、例えば、その幅の、または後方部分６の幅の１／３から２／３の間、または１／２から２／３の間の幅まで減少し、次いで先端８ｂまで増大する。前方部分８はまた、製造される靴の種類に応じて、ベース構成要素３と同じ幅および長さ、あるいは長方形の形状または他の形状を有することができる。
【００４９】
ソール１は、中間構成要素５の後方部分６とベース構成要素３との間に配置され包囲されたヒールインサート１８を備えることができる。ヒールインサート１８はまた、ベース構成要素３またはトップ構成要素４と一体的に実現されることもできる。例えば、ヒールインサート１８がトップ構成要素４と一体になっている場合、それらはそれぞれの端部でのみ拘束されて実現され得る。
【００５０】
ヒールインサート１８は、中間構成要素５を下方から、またはいずれの場合にも中間構成要素５とベース構成要素３との間の領域から、支持するように設計されている。所望であれば、下方にあるかまたはベース構成要素３に面する中間構成要素５の表面５ａと接触している、また所望であれば、これと実質的に結合している、ベース構成要素３から遠位の第１表面１８ａをヒールインサート１８が画定し、この面は、中央板状部分１３と側方管状部分９、１０の両方によって画定されている。第１表面１８ａは、トップ構成要素４に面する凹部によって湾曲していることができる。この点に関して、表面５ａは、ヒールインサート１８の前縁部、またはいずれ場合にも対応する部分に係合する段部またはそれと類似の部分５ｂを有することができる。
【００５１】
必要に応じて、ヒールインサート１８は、好ましくは非貫通の溝１８ｂを画定し、これは第１表面１８ａに関連し得る。
【００５２】
ヒールインサート１８は、後部Ｒから前部Ｆへの方向に向かって変化する厚さ、より具体的には最初に減少しその後わずかに増加する厚さを有することができる。
【００５３】
ヒールインサート１８の第２表面１８ｃ、すなわち使用中にベース構成要素３の内面３ｃの近位側または内側と接触する面は、実質的に平坦であることができ、任意選択的に、表面３ｃの対応する部分と形状が（緩みを持ってまたは持たずに）係合する溝または突起を有する。
【００５４】
ヒールインサート１８が設けられている場合、それは、好ましくはＥＶＡ（エチレンビニルアセテート）、ポリウレタン（ＰＵ）、熱可塑性ゴム（ＴＰＲ）、ゴム、熱可塑性ポリウレタン（ＴＰＵ）フォーム、ゲルまたはそれらの混合物で作られる。
【００５５】
ヒールインサート１８は、ソール１の振動の吸収および弾性を改善することを保証するかまたはそれに寄与する。
【００５６】
トップ構成要素４は、くぼみ状の型Ｍを画定することができ、中間構成要素５は、実質的に同じ大きさに、またはわずかに緩みを持って収容される。
【００５７】
ベース構成要素３およびトップ構成要素４はそれぞれ、内面３ｃ、４ｃおよび外面３ｄ、４ｄである平坦またはわずかに湾曲した主表面と、それぞれの周囲全体にはない適切な隆起縁部３ｅ、４ｅとを有するように適切に形成されたそれぞれのプレートを備える。
【００５８】
ベース構成要素３およびトップ構成要素４は相互に結合または拘束され、これは必要に応じて、それらの長さの一部ではそれぞれの内部主要面３ｃ、４ｃの支持または接触によって、またベース構成要素３およびトップ構成要素４の一方の縁部分３ｆが、トップ構成要素４およびベース構成要素３の他方によって画定されたそれぞれの凹部またはキャビティ４ｆ内での嵌合または支持によって行われる。
【００５９】
ベース構成要素３およびトップ構成要素４は、糊および／または接着剤によって互いに強固に固定されていることが好ましい。
【００６０】
これらの構成要素３、４は、中間構成要素５および、ヒールインサート１８が設けられている場合にはヒールインサートの位置決め領域を互いに画定する。
【００６１】
したがって、中間構成要素５は、必要に応じて、タブ１６、１７において、ベース構成要素３とトップ構成要素４とによって画定される領域に対して横方向および／または後部Ｒに突出することができる。
【００６２】
ヒールインサート１８が設けられている場合には、これはベース構成要素３とトップ構成要素４とによって画定される領域に対して横方向および／または後部Ｒに、特にソール１の後部Ｒに突出することができる。
【００６３】
ベース構成要素３および／またはトップ構成要素４は、好ましくは、それぞれ一体品である。それほど好ましくない変形例によれば、ベース構成要素３とトップ構成要素４とが一体に作られ、中間構成要素５のそれらの間への挿入部（設けられている場合は）のために適切に切断されることができる。
【００６４】
さらに、中間構成要素５が延伸していないかまたは設けられていないソール１の前側領域において、ベース構成要素３の内面３ｃは、使用中にトップ構成要素４の内面４ｃと接触していることが好ましい。これに関して、構成要素３、４の厚さは、可変でも一定でもよい。
【００６５】
ベース構成要素３は、ゴム、ＴＰＲ、ＴＰＵ、ＰＵ、ＥＶＡまたはそれらの混合物からなる群から選択される材料から作製されることが好ましい。
【００６６】
ベース構成要素３は、外側に複数のスタッドを有することができる。
トップ構成要素４は、好ましくは、ＥＶＡ、ＰＵ、ＴＰＲ、またはそれらの混合物からなる群から選択された材料でできている。
【００６７】
本発明に係り、靴２も提供され（例えば図１４を参照）、これは上述のようなソール１と、ソール１のトップ構成要素４に拘束された、特にその主外面４ｄで例えば前記構成要素に接着されたアッパ２１とを備える。明らかに、アッパ２１がソールに拘束されているとき、その表面４ｄはもはや外面または視野内にはない。弾性緩衝構成要素５がトップ構成要素またはミッドソール４の上方に配置される場合、アッパは弾性緩衝構成要素５に拘束されることもできる。
【００６８】
靴２は、もちろんインソールを備えることもできる。
理解されるように、本発明によるソールによって、特にソール１の背面または後部において、正しい中央および横方向のクッション性を得ることが可能である。
【００６９】
明らかに、中央緩衝部は主に中央部分１３によって保証され、一方、測方緩衝部は側方管状部分９、１０によって提供される。
【００７０】
さらに、中間構成要素の後方部分の部分９、１０および１３、特にその異なる構成のおかげで、ソールの一方の側部１１と他方の側部１２とで異なるクッション性、弾性および安定性などの挙動が達成される。
【００７１】
これは特に、中間構成要素５、より詳細にはその後方部分６の板ばね構成によるものである。
【００７２】
前述のように、実際には、ソールの動きまたは圧潰により、中央部分１３と側方管状部分９、１０の両方に弾性的に負荷がかかり、例えば使用者が自分の足、そしてソール１を有する靴を上げたために圧力が減少すると、部分９、１０、１３は、使用者の足にそれぞれの（反）力を加えて、動いていないまたは圧潰されていない休止位置または初期位置に戻る傾向がある。
【００７３】
これに関して、管状部分９、１０の中央部分１３の構造、および排出または逃し開口部ＥＮ１、ＥＮ２の位置によって、後方部分６の部分のクッション性、弾性および安定性を提供することが可能になる。
【００７４】
これに関して、明らかに、足の内側と外側の圧力と挙動は異なるので、本発明によるソールの構造はこの点に適合し、これまでに提案されてきたソールよりも優れた性能を保証することを可能にする。
【００７５】
したがって、優れた衝撃吸収性および弾性的な戻りが得られ、それは長手方向および横方向の両方に適切に分布している。
【００７６】
本発明の改変および変形は、特許請求の範囲によって規定される保護範囲内で可能である。
【図１】
2019193787.tif 000003
【図２】
2019193787.tif 000004
【図３】
2019193787.tif 000005
【図４】
2019193787.tif 000006
【図５】
2019193787.tif 000007
【図６】
2019193787.tif 000008
【図７】
2019193787.tif 000009
【図８】
2019193787.tif 000010
【図９】
2019193787.tif 000011
【図１０】
2019193787.tif 000012
【図１１】
2019193787.tif 000013
【図１２】
2019193787.tif 000014
【図１３】
2019193787.tif 000015
【図１４】
2019193787.tif 000016
【外国語明細書】
2019193787000001.pdf